(57)【要約】 【課題】  紐状の装飾品の展示を簡単に行え、また、展示される紐状装飾品の位置決めを確実に行え、一般消費者がネックレス等の紐状装飾品を見るとき視認性が良い展示が可能であり、また、一般消費者が紐状装飾品を手に取って見た後でも再展示を簡単に行え、また、値札の確認も簡単に行える紐状装飾品の展示台を提供することを目的とする。【解決手段】  展示板３の上部にはネックレス１０を係止する本体係止部４、５と値札係止部６を設けている。各係止部４、５、６は展示板３の上端縁３ＢをＶ字状に切り欠くことにより形成され、上端縁３Ｂに沿って三箇所設けられている。ネックレス１０のチェーン部１０Ａは本体係止部４、５に係止されるとともに、値札部１０Ｄの紐部１０Ｃは紐係止部６に係止される。【選択図】  図２
2016193091.tif 000002
【特許請求の範囲】
【請求項１】
支持板と、前記支持板に支持され表面が紐状装飾品の展示面となる展示板を有し、前記展示板の上部には紐状装飾品を着脱自在に支持する複数の係止部が所定間隔を置いて設けられていることを特徴とする紐状装飾品の展示台。
【請求項２】
前記各係止部のうちの二つは紐状装飾品の本体係止部であることを特徴とする請求項１に記載の紐状装飾品の展示台。
【請求項３】
前記各係止部のうちの一つは紐状装飾品の値札の紐係止部であることを特徴とする請求項１に記載の紐状装飾品の展示台。
【請求項４】
前記各係止部のうちの一つは紐状装飾品のペンダント係止部であることを特徴とする請求項１に記載の紐状装飾品の展示台。
【請求項５】
前記各係止部は前記展示板の上端縁をＶ字状に切り欠くことにより形成されてなることを特徴とする請求項１ないし請求項４のいずれかに記載の紐状装飾品の展示台。
【請求項６】
紐状装飾品の本体は前記本体係止部において二点で係止されることを特徴とする請求項５に記載の紐状装飾品の展示台。
【請求項７】
前記本体係止部は内角が４５°以下で且つ、開口幅が１〜８ｍｍで且つ、深さが３〜７ｍｍで且つ、奥行が０．１〜１．２ｍｍであることを特徴とする請求項５または請求項６のいずれかに記載の紐状装飾品の展示台。
【請求項８】
前記値札の紐係止部は内角が４５°以上で且つ、深さが３ｍｍ以下であることを特徴とする請求項５に記載の紐状装飾品の展示台。
【請求項９】
前記ペンダント係止部は内角が４５°以下で且つ、深さが３ｍｍ以下であることを特徴とする請求項５に記載の紐状装飾品の展示台。
【請求項１０】
前記展示板は前記展示面が傾斜するように前記支持板に支持されていることを特徴とする請求項１に記載の紐状装飾品の展示台。
【請求項１１】
前記展示面の傾斜角度が７０〜８５°であることを特徴とする請求項１０に記載の紐状装飾品の展示台。
【請求項１２】
支持板に傾斜支持され表面が紐状装飾品の展示面となる展示板の上端縁にＶ字状に切欠き形成された本体係止部に紐状装飾品の本体を掛けとめる工程と、
前記展示板の上端縁にＶ字状に切欠き形成された値札の紐係止部に前記値札の紐部を掛けとめる工程と
を有する紐状装飾品の展示方法。
【発明の詳細な説明】
【技術分野】
【０００１】
本発明は、デパートの宝石売り場や宝石専門店等でネックレス等の紐状装飾品を展示するために使用する紐状装飾品の展示台及びその展示方法に関する。
【背景技術】
【０００２】
一般的に、デパートの宝石売り場や宝石専門店等においては、紐状装飾品であるネックレスは人体の上半身の形をした台の首の部分に掛け展示されている。
【０００３】
そして、店員はネックレスを台の首の部分に掛け止め展示するときは、先ずネックレスの止め具を外す。そして、ネックレスの本体を台の首の部分に巻き付け、本体の中心部が真下に垂れ下がるように調整する。そして、その調整後に止め具を連結し、ネックレスを台の首の部分の所定の位置に位置決めするようにしている。
また、店員が展示されているネックレスを他のネックレスに変えるときも、展示されているネックレスの止め具を一旦外し、ネックレスを台の首の部分から取外す。次に、展示変更する他のネックレスを台の首の部分に巻きつけ、止め具を連結してネックレスを円形に形成し、台の首の部分に取り付けている。
【０００４】
また、一般消費者はネックレスを購入する時は展示されているネックレスを手で触ったり、ネックレスを台から外したりして、そのデザインや重さ等を確認している。
【０００５】
また、そのネックレスの価格を確認するために、ネックレスに付いている値札を探すときもネックレスを動かし、展示状態を変えたりして、値札に記載されている価格を確認している。また、値札が小さく、また価格の記載が小さかった時はネックレスを台から取外し、価格の確認を行っている。
【０００６】
また、ネックレスを訪問販売する時は訪問先で専用収納ケースからネックレスを取り出し、一般消費者にネックレスを手渡して、ネックレスのデザイン等を確認してもらっているのが実情である。
【発明の概要】
【発明が解決しようとする課題】
【０００７】
従来のネックレスの展示台においては、店員がネックレスを台の首の部分に取り付け展示するときは、止め具の取り外し、取り付けの作業が必要であり、展示の作業は煩雑である。
また、展示されているネックレスを他のネックレスに変えるときも、ネックレスの止め具を取り外し、取り付けの作業が必要となり、その作業は煩雑である。
また、従来のネックレスの展示台においては、ネックレスを人体の上半身の形をした台の首の部分に巻きつけ展示しているために、一般消費者がそのネックレスを見る角度によっては目線が台の頭部と重なり、台の設置状態によってはネックレスが見え難い場合がある。
【０００８】
また、ネックレスのデザインや重さ等を確認する時はネックレスを手に取って、ネックレスを台から取り外さなければならず、そのネックレスを元の位置に展示しなおす作業が煩雑である。特に、ネックレスにペンダントが付いているものにあっては、そのペンダントをネックレスの中心に垂れ下がるように展示し直す必要があり、展示に時間を要する。
【０００９】
また、ネックレスの価格を確認するために、ネックレスの値札を探す場合、ネックレスの展示位置を動かす必要がある。そうすると、ネックレスの価格の確認後、ネックレスを元の位置に展示しなおす作業が必要となるばかりでなく、値札も所定の位置に掲示しなおす必要があり、その作業は煩雑である。
【００１０】
また、ネックレスの訪問販売時においても、一般消費者はネックレスを手に取ってデザイン等を確認しなければならなく、ネックレスへの汚れの付着が避けられなかった。
【００１１】
本発明は上述した従来の課題に鑑みてなされたものであり、店員が紐状の装飾品の展示を簡単に行え、また、展示される紐状装飾品の位置決めを確実に行え、また、一般消費者がネックレス等の紐状装飾品を見るとき視認性が良い展示が可能であり、また、一般消費者が紐状装飾品を手に取って見た後でも再展示を簡単に行え、また、値札の確認も簡単に行える紐状装飾品の展示台を提供することを目的とする。
【課題を解決するための手段】
【００１２】
上述した従来の課題を解決し、上述した目的を達成するため、本発明の紐状装飾品の展示台は、支持板と、前記支持板に支持され表面が紐状装飾品の展示面となる展示板を有し、前記展示板の上部には紐状装飾品を着脱自在に支持する複数の係止部が所定間隔を置いて設けられている。
【００１３】
上記構成によれば、紐状装飾品を展示台に簡単に着脱自在に取付けることができ、そして紐状装飾品を所定の位置に確実に位置決め展示することができる。
【００１４】
好適には、前記各係止部のうちの二つは紐状装飾品の本体係止部である。
この構成によれば、紐状装飾品の本体を所定の位置に位置決め取り付けることができる。
【００１５】
好適には、前記各係止部のうちの一つは紐状装飾品の値札の紐係止部である。
この構成によれば、一般消費者が目視しやすい位置に値札を展示できる。
【００１６】
好適には、前記各係止部のうちの一つは紐状装飾品のペンダント係止部である。
この構成によれば、一般消費者が目視しやすい位置にペンダント部を係止できる。
【００１７】
好適には、前記各係止部は前記展示板の上端縁をＶ字状に切り欠くことにより形成されてなる。
この構成によれば、展示される紐状装飾品の位置決めを確実に行える。
【００１８】
好適には、紐状装飾品の本体は前記本体係止部において二点で係止される。
この構成によれば、各係止部に取り付けられる紐状装飾品の支持力が一箇所に集中せず二箇所に分散するので、紐状装飾品を傷めない。
【００１９】
好適には、前記本体係止部は内角が４５°以下で且つ、開口幅が１〜８ｍｍで且つ、深さが３〜７ｍｍで且つ、奥行が０．１〜１．２ｍｍである。
この構成によれば、太さの異なる種々の紐状装飾品を所定の位置に確実に位置決め展示できる。
【００２０】
好適には、前記値札の紐係止部は内角が４５°以上で且つ、深さが３ｍｍ以下である。
この構成によれば、紐状装飾品の展示作業により、値札の紐部の切断を防げる。
【００２１】
好適には、前記ペンダント係止部は内角が４５°以下で且つ、深さが３ｍｍ以下である。
この構成によれば、ペンダント部の係止状態は確実であり、値札と同じ位置でペンダント部を見ることができる。
【００２２】
好適には、前記展示板は前記展示面が傾斜するように前記支持板に支持されている。この構成により、紐状装飾品に対して視認性の良い展示ができる。
【００２３】
好適には、前記展示面の傾斜角度が７０〜８５°である。
この構成によれば、紐状装飾品に対して、見やすい展示状態を確保できる。
【００２４】
本発明の展示方法は、支持板に傾斜支持され表面が紐状装飾品の展示面となる展示板の上端縁にＶ字状に切欠き形成された本体係止部に紐状装飾品の本体を掛けとめる工程と、前記展示板の上端縁にＶ字状に切欠き形成された値札の紐係止部に前記値札の紐部を掛けとめる工程とを有する。
この方法によれば、紐状装飾品を簡単に所定の位置に展示することができる。
【発明の効果】
【００２５】
本発明によれば、紐状装飾品の展示を簡単に行えるとともに、展示されている紐状装飾品の視認性が良く、紐状装飾品の位置決めを確実に行える紐状装飾品の展示台を提供できる。
【図面の簡単な説明】
【００２６】
【図１】本発明の実施形態に係る展示台の斜視図。
【図２】展示台の正面図。
【図３】展示台の側面図。
【図４】ネックレスの一部省略斜視図。
【図５】図２における係止部の部分を示す拡大正面。
【図６】係止部にネックレスが係止されている状態を示す図であり、図６（Ａ）は係止部の部分の拡大正面図、図６（Ｂ）は係止部とネックレスの係止状態の詳細を示す拡大正面図、図６（Ｃ）は係止部とネックレスの係止状態の詳細を示す拡大平面図。
【図７】小径のネックレスを使用した場合を説明するための図である。
【図８】本発明の他の実施形態の展示台を示す拡大正面図である。
【発明を実施するための形態】
【００２７】
以下、本発明の実施形態に係るネックレスの展示台について、図面を参照しながら説明する。
図１〜図４に示すように、展示台１は支持板２と展示板３を有している。本実施形態においては支持板２と展示板３はボール紙で形成されている。本発明は、支持板２と展示板３は薄板のプラスチックで形成されたものであってもよく、アルミ等の金属薄板で形成されたものであってもよく、さらに板状の発泡スチロールにて形成されたものであってもよく、ネックレス１０を係止できる剛性を備えていれば、材質には限定されない。
【００２８】
支持板２の本体部２Ａは展示板３の裏面の中央部分に貼り付けられるように取り付けられている。展示板３を支持する一対の側板部２Ｂ、２Ｂは本体部２Ａにヒンジ部２Ｃ、２Ｃを介して折りたたみ自在に取り付けられている。
一対の側板部２Ｂ、２Ｂがヒンジ部２Ｃ、２Ｃを介して展示板３の裏面側に折り曲げることにより、支持板２を展示板３と略面一となるように折り畳むことができる。  従って、展示台１を使用しないときに展示台１をテーブルの引き出しにスペースを取らず収納し、片付けることができる。
また、ネックレス１０の訪問販売時においても、展示台１をネックレス１０と一緒に専用収納ケースに入れて持ち運ぶことができ、収納のスペースファクタに寄与する。
【００２９】
展示板３は表面が展示面３Ａとなっており、展示面３Ａが傾斜するように支持板２に支持されている。支持板２の傾斜角θ１は７０°〜８５°に設定されている。
この傾斜角θ１は人体の胸の角度と略等しい角度となっており、展示板３の展示面３Ａにネックレス１０を掛けたとき、一般消費者がネックレス１０を目視し易い角度となっている。
【００３０】
図４に示すように、展示台１に展示されるネックレス１０は本体となるチェーン部１０Ａと、チェーン部１０Ａの略中央位置に取り付けられたペンダント部１０Ｂと、チェーン部１０Ａの中途に紐部１０Ｃを介して取り付けられた値札部１０Ｄからなる。本実施形態においては、ネックレス１０のチェーン部１０Ａの太さＷ１が約２ｍｍのものを使用する。
展示板３の傾斜角度θ１を７０°〜８５°に設定することにより、ペンダント部１０Ｂは展示面３Ａ上にて受け止められるとともに、チェーン部１０Ａはある程度の張りを持って展示される。従って、チェーン部１０Ａのたるみがない展示を行える。
【００３１】
図５にも示すように、展示板３の上部には、ネックレス１０のチェーンン部１０Ａが係止される本体係止部４、５と値札部１０Ｄの紐部１０Ｃが係止される紐係止部６が設けられている。各係止部４、５、６は展示板３の上端縁３ＢをＶ字状に切り欠くことにより形成され、上端縁３Ｂに沿って所定間隔を置いて三箇所設けられている。
【００３２】
図６（Ａ）〜図６（Ｂ）にも示すように、Ｖ字状に切り欠き形成された各係止部４、５は内角θ２が４５°以下で且つ、開口幅Ｗ２が１〜８ｍｍで且つ、深さＤ１が３〜７ｍｍで且つ、奥行となる展示板の厚さＷ３が０．１〜１．２ｍｍの寸法に形成されている。
【００３３】
ネックレス１０のチェーン部１０Ａは本体係止部４、５に係止されるとともに、値札部１０Ｄの紐部１０Ｃは紐係止部６に係止されている。
【００３４】
ネックレス１０のチェーン部１０Ａの太さＷ１は約２ｍｍであり、本体係止部４、５の開口幅Ｗ２が１〜８ｍｍであるので、チェーン部１０Ａは本体係止部４の途中の第１傾斜部４Ａ、４Ａと、本体係止部５の途中の第２傾斜部５Ａ、５Ａで止まり、二点で支持される状態となる。また、各係止部４、５の奥行となる展示板３の厚さＷ３が０．１〜１．２ｍｍとなっているので、各係止部４、５の各傾斜部４Ａ、５Ａはチェーン部１０Ａの連結間の隙間に食い込む状態になる。これにより、チェーン部１０Ａの係止状態は安定したものとなり、チェーン部１０Ａを所定の位置で位置決めすることができる。
従って、ペンダント部１０Ｂの垂れ下がりの位置を一度決めると、チェーン部１０Ａを外さない限り、チェーン部１０Ａやペンダント部１０Ｂの位置の位置ずれを起こすことはない。
【００３５】
また、紐係止部６の内角θ３は４５°以上の鈍角となっている。従って、値札係止部６に対し値札部１０Ｄの紐部１０Ｃを頻繁に取り付け、取り外す作業を行っても、紐部１０Ｃを切断することはない。
【００３６】
また、紐係止部６の深さＤ２は３ｍｍ以下であり、展示面３Ａにおいて、本体係止部４、５より上に位置している。従って、本体係止部４、５と紐札係止部６の位置は区別でき、店員も紐部１０Ｃの係止位置を間違えることはない。
【００３７】
次に、ネックレスの展示方法について説明する。
ネックレス１０のペンダント部１０Ｂが本体係止部４、５間の中央に垂れ下がるようにチェーン部１０Ａを本体係止部４、５に掛ける。本体係止部４、５はＶ字状に形成されているので、チェーン部１０Ａが一旦本体係止部４、５に係止されると、その位置決めは確実であり、位置ずれは生じない。
次に、チェーン部１０Ａの非展示部分を展示板３の裏側に回し、値札部１０Ｄの表面が展示面３Ａ側に現れるように値札部１０Ｄを移動させ、そして紐部１０Ｃを紐係止部６に引っ掛ける。
このようにして、チェーン部１０Ａを本体係止部４、５に引っ掛けるとともに、値札部１０Ｄの紐部１０Ｃを紐係止部６引っ掛けるだけで、ネックレス１０を展示台１に展示でき、店員は簡単にネックレス１０を所定の位置に展示することができる。
【００３８】
また、一般消費者が展示されているネックレス１０のデザインや重さ、またペンダント部１０Ｂの形状を確認するためにチェーン部１０Ａやペンダント部１０Ｂを手に取り扱っても、チェーン部１０Ａやペンダント部１０Ｂの展示台１での位置ずれが生じることはない。従って、従来のように、一般消費者がネックレス１０を手に取り、デザインや重さ等を確認したあと、ネックレス１０を再展示する手間がなくなる。
【００３９】
また、チェーン部１０Ａは、各係止部４、５の底部に当たることなく、各傾斜部４Ａ、５Ａにおいて二点で支持される形となるので、チェーン部１０Ａの支持力が一箇所に集中せず、二箇所に分散されるのでチェーン部１０Ａを痛めるようなこともない。
【００４０】
また、図７に示すように、ネックレス１０のチェーン部１０Ａの太さＷ４が１．５ｍｍの小径のものを使用しても、各係止部４、５の開口幅Ｗ１が１〜８ｍｍとなっているので、チェーン部１０Ａを各係止部４、５の各傾斜部４Ａ、５Ａの二点で確実に支持することができる。従って、チェーン部１０Ａの太さＷ１が相違する各種のネックレスを展示することができ、汎用性に優れた展示台を提供できる。
【００４１】
また、各係止部４、５がＶ字状となっているので、他のネックレスと展示を入れ替える場合でもネックレスを簡単に取り外し、そして取り付けることができ、取り替えを簡単に行うことができ、展示の作業性に優れている。
【００４２】
また、展示板３の上端縁３Ｂに形成された紐係止部６は値札部１０Ｄの紐部１０Ｃを係止する係止部となっているので、値札部１０Ｄを展示板の展示面に現れるように係止することができる。また、一般消費者が一番目視し易い展示板３の上部の位置に値札部１０Ｄを掲示することができるので、従来のように、ネックレス１０の価格を確認するためにネックレス１０のチェーン部１０Ａを台から取り外し、値札を探すような手間は生じない。従って、ネックレス１０を手で触ることなく、ネックレス１０の価格を確認でき、ネックレス１０への手の汚れの付着も防止できる。
【００４３】
また、ネックレス１０を訪問販売する時も訪問先で展示台１を専用収納ケースから取り出し、展示台１の支持板２を広げ、展示台３を組み立て、そして展示台１の各係止部４、５にネックレス１０を掛けるだけで、簡単にネックレス１０を一般消費者の目の前で展示できる。従って、一般消費者もネックレス１０を手で触らなくてもネックレス１０のデザイン等を簡単に確認することができ、ネックレス１０への手の汚れの付着を極力防ぐことができる。
【００４４】
図８は本発明の他の実施形態の展示台を示す拡大正面図である。
この展示台１は展示板３の上端縁３ＢにＶ字状のペンダント係止部７を設けたものである。その他の構成は前述した実施形態の展示台１と同一につき詳細な説明は省略する。この実施形態は展示板に切欠き形成したペンダント係止部７にペンダント部１０Ｂを係止したものである。
ペンダント係止部７の深さＤ３は値札係止部６の深さＤ２と同じように３ｍｍ以下であり、且つ内角θ４は４５°以下となっている。従って、ペンダント部１０Ｂをチェーン部１０Ａと同じように所定の位置に位置決めすることができる。
このようにペンダント部１０Ｂを展示することにより、一般消費者はペンダント部１０Ｂを手に取らなくても、その形状を確認することができる。
また、値札部１０Ｄをペンダント部１０Ｂの隣で値札部１０Ｄと同じ高さで展示できるので、ペンダント部１０Ｂを見ると同時にそのネックレス１０の価格も確認でき、一般消費者が注目したい展示部分を目立つように展示することができる。
【００４５】
なお、本発明の係止部はＶ字状のものでなくてもよく、紐状装飾品を係止できるものであれば、Ｕ字状であってもよく、また、矩形状であってもよく、その形状または構成には限定されない。また、本発明は展示される紐状装飾品がチェーン状ではなく、単なる紐状のものであっても、紐状装飾品を確実に係止できるものである。
【００４６】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００４７】
本発明はネックレスのような紐状の装飾品の展示台に適用される。
【符号の説明】
【００４８】
１・・・・展示台
２・・・・支持板
３・・・・展示板
３Ａ・・・展示面
３Ｂ・・・上端縁
４・・・・本体係止部
５・・・・本体係止部
６・・・・紐係止部
７・・・・ペンダント係止部
１０・・・ネックレス
１０Ａ・・チェーン部・
１０Ｂ・・ペンダント部
１０Ｃ・・紐部
１０Ｄ・・値札部
【図１】
2016193091.tif 000003
【図２】
2016193091.tif 000004
【図３】
2016193091.tif 000005
【図４】
2016193091.tif 000006
【図５】
2016193091.tif 000007
【図６】
2016193091.tif 000008
【図７】
2016193091.tif 000009
【図８】
2016193091.tif 000010